(57)【要約】【課題】外光の反射を低減し、コントラストを向上する。【解決手段】反射スクリーン２０は、映像源ＬＳから投影された赤色、緑色、青色のレーザー光による映像光を反射させて観察可能とする反射スクリーンであって、基材層２４と、基材層２４の映像源側とは逆側である背面側にフレネルレンズ形状が形成されたレンズ層２３と、レンズ層２３の背面側に設けられた反射層２２とを備え、反射層２２よりも映像源側に、波長選択性を有する光吸収部が設けられていることを特徴とする。【選択図】図２
2020173443.tif 000002
【特許請求の範囲】
【請求項１】
映像源から投影された赤色、緑色、青色のレーザー光による映像光を反射させて観察可能とする反射スクリーンであって、
基材層と、
前記基材層の映像源側とは逆側である背面側にフレネルレンズ形状が形成されたレンズ層と、
前記レンズ層の背面側に設けられた反射層とを備え、
前記反射層よりも映像源側に、波長選択性を有する光吸収部が設けられていること、
を特徴とする反射スクリーン。
【請求項２】
請求項１に記載の反射スクリーンにおいて、
前記光吸収部は、
波長選択性を有する材料を含有した前記基材層により形成されていること、
を特徴とする反射スクリーン。
【請求項３】
請求項１に記載の反射スクリーンにおいて、
前記光吸収部は、
波長選択性を有する材料を含有した前記レンズ層により形成されていること、
を特徴とする反射スクリーン。
【請求項４】
請求項１から請求項３までのいずれか１項に記載の反射スクリーンにおいて、
前記光吸収部は、
赤色、緑色、青色の前記レーザー光の波長を含まない波長帯域に光吸収帯域を有した複数種類の波長選択性を有する材料を含有していること、
を特徴とする反射スクリーン。
【請求項５】
請求項１に記載の反射スクリーンにおいて、
前記光吸収部は、
波長選択性を有する材料を含有し、前記反射層よりも映像源側に設けられた光吸収層であること、
を特徴とする反射スクリーン。
【請求項６】
請求項５に記載の反射スクリーンにおいて、
前記光吸収層は、
赤色、緑色、青色の前記レーザー光の波長を含まない波長帯域に光吸収帯域を有した複数種類の波長選択性を有する材料を含有していること、
を特徴とする反射スクリーン。
【請求項７】
請求項６に記載の反射スクリーンにおいて、
前記光吸収層は、
異なる波長選択性を有する材料が含有された吸収層が複数積層されていること、
を特徴とする反射スクリーン。
【請求項８】
請求項５又は請求項６に記載の反射スクリーンにおいて、
前記光吸収層は、
前記赤色のレーザー光による前記映像光を選択的に透過する赤色領域、前記緑色のレーザー光による前記映像光を選択的に透過する緑色領域、前記青色のレーザー光による前記映像光を選択的に透過する青色領域がパターニングされていること、
を特徴とする反射スクリーン。
【請求項９】
請求項１に記載の反射スクリーンにおいて、
該反射スクリーンの分光反射率を測定した場合に、赤色、緑色、青色の前記レーザー光の波長を中心とする±５０ｎｍの領域内に反射率の極大値を有していること、
を特徴とする反射スクリーン。
【請求項１０】
請求項９に記載の反射スクリーンにおいて、
前記光吸収部は、
赤色、緑色、青色の前記レーザー光の波長での反射率の平均値をＰＡとし、可視光領域の光の波長の反射率の平均値をＰＢとし、これらの比をＰＡ／ＰＢとするとき、
ＰＡ／ＰＢ≧１．１６
を満たすこと、
を特徴とする反射スクリーン。
【請求項１１】
請求項９又は請求項１０に記載の反射スクリーンにおいて、
黒色表示の色度と基準となる無彩色の色度との色差ΔＥ ＊ ａｂが、
ΔＥ ＊ ａｂ≦２．４
を満たすこと、
を特徴とする反射スクリーン。
【請求項１２】
請求項１から請求項１１までのいずれか１項に記載の反射スクリーンと、
前記反射スクリーンに映像光を照射する映像源と、
を備える映像表示システム。
【発明の詳細な説明】
【技術分野】
【０００１】
本発明は、照射された映像光を反射して映像を表示する反射スクリーン、映像表示システムに関するものである。
【背景技術】
【０００２】
従来、映像光を反射スクリーンに照射して種々の映像を表示する映像表示システムに関する工夫が提案されている。
このような映像表示システムに適用される反射スクリーンに関して、特許文献１〜３には、光吸収層を設けることにより、外光の反射を低減し、コントラストを向上する工夫が提案されている。
【先行技術文献】
【特許文献】
【０００３】
【特許文献１】特開平６−７５３０４号公報
【特許文献２】特開平９−１３３９６９号公報
【特許文献３】特開２００８−１７０６０７号公報
【発明の概要】
【発明が解決しようとする課題】
【０００４】
ところでこの種の映像表示システムでは、一段と外光の反射を低減し、コントラストを向上することが望まれている。
【０００５】
本発明は以上の点を考慮してなされたものであり、外光の反射を低減し、コントラストを向上することができる反射スクリーン、映像表示システムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、映像源（ＬＳ）から投影された赤色、緑色、青色のレーザー光による映像光を反射させて観察可能とする反射スクリーンであって、基材層（２４、５２４）と、前記基材層の映像源側とは逆側である背面側にフレネルレンズ形状が形成されたレンズ層（２３）と、前記レンズ層の背面側に設けられた反射層（２２、５２２）とを備え、前記反射層よりも映像源側に、波長選択性を有する光吸収部が設けられていること、を特徴とする反射スクリーン（１０、１２０、２２０、３２０、４２０、５２０）である。
第２の発明は、第１の発明の反射スクリーンにおいて、前記光吸収部は、波長選択性を有する材料を含有した前記基材層（２４、２４２）により形成されていること、を特徴とする反射スクリーン（１０）である。
第３の発明は、第１の発明の反射スクリーンにおいて、前記光吸収部は、波長選択性を有する材料を含有した前記レンズ層（１２３）により形成されていること、を特徴とする反射スクリーン（１２０）である。
第４の発明は、第１の発明から第３の発明までのいずれかの反射スクリーンにおいて、前記光吸収部は、赤色、緑色、青色の前記レーザー光の波長を含まない波長帯域に光吸収帯域を有した複数種類の波長選択性を有する材料（Ａ〜Ｄ）を含有していること、を特徴とする反射スクリーン（１０、１２０）である。
第５の発明は、第１の発明の反射スクリーンにおいて、前記光吸収部は、波長選択性を有する材料を含有し、前記反射層（２２）よりも映像源側に設けられた光吸収層（２２５、３２６、４２６）であること、を特徴とする反射スクリーン（２２０、３２０、４２０）である。
第６の発明は、第５の発明の反射スクリーンにおいて、前記光吸収層（２２５、３２６、４２６）は、赤色、緑色、青色の前記レーザー光の波長を含まない波長帯域に光吸収帯域を有した複数種類の波長選択性を有する材料（Ａ〜Ｄ）を含有していること、を特徴とする反射スクリーン（２２０、３２０、４２０）である。
第７の発明は、第６の発明の反射スクリーンにおいて、前記光吸収層（３２６）は、異なる波長選択性を有する材料（Ａ〜Ｄ）が含有された吸収層（３２６ａ〜３２６ｄ）が複数積層されていること、を特徴とする反射スクリーン（３２０）である。
第８の発明は、第５の発明又は第６の発明の反射スクリーンにおいて、前記光吸収層（４２６）は、前記赤色のレーザー光による前記映像光を選択的に透過する赤色領域（Ｒ）、前記緑色のレーザー光による前記映像光を選択的に透過する緑色領域（Ｇ）、前記青色のレーザー光による前記映像光を選択的に透過する青色領域（Ｂ）がパターニングされていること、を特徴とする反射スクリーン（４２０）である。
第９の発明は、第１の発明の反射スクリーンにおいて、該反射スクリーンの分光反射率を測定した場合に、赤色、緑色、青色の前記レーザー光の波長を中心とする±５０ｎｍの領域内に反射率の極大値を有していること、を特徴とする反射スクリーン（５２０）である。
第１０の発明は、第９の発明の反射スクリーンにおいて、前記光吸収部（２４２）は、赤色、緑色、青色の前記レーザー光の波長での反射率の平均値をＰＡとし、可視光領域の光の波長の反射率の平均値をＰＢとし、これらの比をＰＡ／ＰＢとするとき、ＰＡ／ＰＢ≧１．１６という関係を満たすこと、を特徴とする反射スクリーン（５２０）である。
第１１の発明は、第９の発明又は第１０の発明の反射スクリーンにおいて、黒色表示の色度と基準となる無彩色の色度との色差ΔＥ ＊ ａｂが、ΔＥ ＊ ａｂ≦２．４を満たすこと、を特徴とする反射スクリーン（５２０）である。
第１２の発明は、第１の発明から第１１の発明までのいずれかの反射スクリーン（１０）と、前記反射スクリーンに映像光を照射する映像源（ＬＳ）と、を備える映像表示システム（１）である。
【発明の効果】
【０００８】
本発明によれば、外光の反射を低減するとともに、映像のコントラストを向上することができる。
【図面の簡単な説明】
【０００９】
【図１】第１実施形態の映像表示システムを説明する図である。
【図２】第１実施形態の反射スクリーンの層構成を説明する図である。
【図３】第１実施形態のレンズ層及び反射層の詳細を説明する図である。
【図４】光吸収部に含有される波長選択性を有する材料の光学特性を示す特性曲線図である。
【図５】第２実施形態の反射スクリーンの層構成を説明する図である。
【図６】第３実施形態の反射スクリーンの層構成を説明する図である。
【図７】第４実施形態の反射スクリーンの層構成を説明する図である。
【図８】第５実施形態の反射スクリーンの層構成を説明する図である。
【図９】第５実施形態の光吸収層を観察者側から見た部分拡大図である。
【図１０】第５実施形態の光吸収層の別な形態を示す図である。
【図１１】第６実施形態の反射スクリーン５２０の層構成を説明する図である。
【図１２】表面層５２５を説明する図である。
【図１３】測定例１〜４の反射スクリーンの分光反射率の測定結果を示す図である。
【図１４】測定例１〜５の反射スクリーンの点Ａにおける分光反射率の測定結果を示す図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１１】
〔第１実施形態〕
以下、図面等を参照して、本発明の実施形態について説明する。
図１は、本実施形態の映像表示システム１を説明する図である。図１（ａ）は、映像表示システム１の斜視図であり、図１（ｂ）は、映像表示システム１の側面図である。
【００１２】
映像表示システム１は、図１に示すように、反射スクリーン２０を備える反射スクリーンユニット１０と、映像源ＬＳ等とを有している。本実施形態の映像表示システム１は、映像源ＬＳから映像光Ｌを反射スクリーン２０に向けて出射して、この映像光Ｌを反射スクリーン２０により反射することにより所望の映像を表示する。
この映像表示システム１は、例えば、映像源ＬＳを反射スクリーン２０の観察者Ｏ側に設けたフロントプロジェクションテレビシステムとして用いることが可能である。
【００１３】
映像源ＬＳは、映像光Ｌを反射スクリーン２０へ投射する映像光投射装置である。映像源ＬＳは、使用状態において、反射スクリーン２０の画面を法線方向（スクリーン面の法線方向）から見た場合に、反射スクリーン２０の画面左右方向において中央であって、反射スクリーン２０の画面（表示領域）よりも下方側となる位置に配置されている。
この映像源ＬＳは、反射スクリーン２０の画面に直交する方向（反射スクリーン２０の厚み方向）における反射スクリーン２０との距離が、従来の汎用プロジェクタや、汎用の短焦点プロジェクタに比べて大幅に近い位置（例えば、映像源ＬＳから反射スクリーン２０までの距離が３００ｍｍ程度）から映像光Ｌを投射する超短焦点プロジェクタである。即ち、映像源ＬＳは、従来の汎用プロジェクタや、短焦点プロジェクタに比べて、反射スクリーン２０までの投射距離が短く、映像光Ｌの反射スクリーン２０のスクリーン面に対する入射角度も大きい。
【００１４】
従来のように汎用のプロジェクタや、短焦点プロジェクタを映像源として用いた場合、映像源と反射スクリーンとの間隔は、１ｍ〜数ｍ以上空ける必要があったため、反射スクリーンと映像源との間を人が横切ったりして、映像の表示が遮られてしまう場合があった。また、このような配置間隔で映像源と反射スクリーンとを設置するには、十分な広さの部屋が必要となっていた。
これに対して、本実施形態の映像表示システム１は、上述のように映像源ＬＳに超短焦点プロジェクタを使用しているため、上述のように映像源ＬＳと反射スクリーン２０との距離を大幅に近くすることができ、上記問題点を解消することができる。
本実施形態の映像源ＬＳは、赤色、緑色、青色のレーザー光源を使用して、赤色、緑色、青色のレーザー光による映像光Ｌを出射する。
【００１５】
反射スクリーン２０は、映像源ＬＳから照射される映像光Ｌを観察者Ｏ側へ向けて反射し、映像を表示するスクリーンである。使用状態において、反射スクリーン２０の観察画面は、観察者Ｏ側から見て、長辺方向が画面左右方向となる略矩形状である。
以下の説明中において、画面上下方向、画面左右方向、厚み方向とは、特に断りが無い場合、この反射スクリーン２０の使用状態における画面上下方向（鉛直方向）、画面左右方向（水平方向）、厚み方向（奥行き方向）であるとする。
この反射スクリーン２０は、例えば、対角１００インチや、１２０インチ等の大きな画面（表示領域）を有している。
【００１６】
なお、本実施形態の映像表示システム１は、超短焦点型のプロジェクタに係る映像源ＬＳと、この映像源ＬＳから照射された映像光を反射して映像を表示する反射スクリーン２０とを備えるものとしたが、これに限らず、映像源ＬＳが、超短焦点プロジェクタよりも照射距離が長く、映像光の照射角度（即ち、スクリーンへの映像光の入射角度）の小さい従来の汎用プロジェクタや短焦点プロジェクタとし、反射スクリーン２０をそのような映像源ＬＳに対応するものとしてもよい。
【００１７】
反射スクリーンユニット１０は、図１に示すように、反射スクリーン２０と、その背面側に配置される平板状の支持板３０と、接合層４０とを有している。反射スクリーン２０と支持板３０とは、接合層４０を介して一体に接合されている。
【００１８】
支持板３０は、高い剛性を有する部材であれば、特にその材料等は限定しないが、例えば、アルミニウム等の金属製の板材や、アクリル系樹脂等の樹脂製の板材等が好適に用いられる。また、表裏面をアルミニウム等の薄板とし、内部の芯材としてアルミニウム等の薄板により形成されたハニカム構造を備えることにより、板材全体としての軽量化を図った金属製の板材（所謂、ハニカムパネル）等を用いてもよい。また、支持板３０は、外光の映り込みや外光によるコントラスト低下等を防止する観点から、光透過性を有しない部材であることが好ましい。
【００１９】
支持板３０の厚みは０．２〜５．０ｍｍが好適であり、より好ましくは１．０〜３．０ｍｍである。厚みが０．２ｍｍよりも薄いと、平面性を支持できるだけの剛性の付与が不十分であり、５．０ｍｍよりも厚くなると、支持板３０の重量が重くなるという問題がある。
反射スクリーン２０は、薄く、それ単独では平面性を維持するだけの十分な剛性を有していない場合が多い。そのため、反射スクリーン２０は、支持板３０に一体に接合される形態とすることにより、その画面の平面性を維持している。
【００２０】
接合層４０は、反射スクリーン２０と支持板３０とを一体に接合する機能を有する層である。接合層４０は、粘着剤や接着剤等により形成する。
【００２１】
図２は、本実施形態の反射スクリーン２０の層構成を説明する図である。
図２では、反射スクリーン２０の観察画面（表示領域）の幾何学的中心（画面中央）となる点Ａ（図１（ａ）、（ｂ）参照）を通り、画面上下方向に平行であって、スクリーン面に垂直（厚み方向に平行）な断面の一部を拡大して示している。
反射スクリーン２０は、図２に示すように、その厚み方向において、映像源側（観察者側）から順に、表面層２５、基材層２４、レンズ層２３、反射層２２を備えている。
【００２２】
基材層２４は、レンズ層２３を形成する基材となるシート状の部材である。この基材層２４の映像源側には、表面層２５が一体に形成され、背面側（裏面側）には、レンズ層２３が一体に形成されている。
基材層２４は、拡散剤を含有する光拡散層２４１と、特定波長の光を吸収する着色層２４２とを有している。本実施形態の基材層２４は、光拡散層２４１と着色層２４２とが共押出成形されることにより、一体に積層されて形成されている。
本実施形態では、図２に示すように、基材層２４において、光拡散層２４１が背面側であり、着色層２４２が映像源側に位置する、すなわち、レンズ層２３の映像源側の面に光拡散層２４１、着色層２４２が順次積層されている。
【００２３】
光拡散層２４１は、光透過性を有する樹脂を母材とし、光を拡散する拡散剤を含有する層である。光拡散層２４１は、視野角を広げたり、明るさの面内均一性を向上させたりする機能を有する。
光拡散層２４１の母材となる樹脂は、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、ＴＡＣ（トリアセチルセルロース）樹脂、ＰＥＮ（ポリエチレンナフタレート）樹脂、アクリル系樹脂等が好適に用いられる。
【００２４】
光拡散層２４１に含まれる拡散剤としては、アクリル系樹脂、エポキシ樹脂、シリコン系等の樹脂製の粒子や無機粒子等が好適に用いられる。なお、拡散剤は、無機系拡散剤と有機系拡散剤とを組み合わせて用いてもよい。この拡散剤は、略球形であり、平均粒径が約１〜５０μｍであるものを用いることが好ましい。また、使用に適した拡散剤の粒径の範囲は、５〜３０μｍであるのが好ましい。
光拡散層２４１の厚さは、反射スクリーン２０の画面サイズ等にも依るが、約１００〜２０００μｍとすることが好ましい。光拡散層２４１は、そのヘイズ値が、８５〜９９％の範囲であることが望ましい。
【００２５】
着色層２４２は、入射した光のうち、特定の波長帯域の光を透過し、その他を吸収する光吸収部である。より具体的には、着色層２４２は、映像源ＬＳから照射される赤色、緑色、青色のレーザー光をほとんど吸収せずに選択的に透過させるが、その他の波長帯域の光（主に可視光）を吸収する。そのため、着色層２４２は、映像源から照射された映像光をほとんど吸収することなく、外光等の不要な光を吸収することができ、映像のコントラストを向上させることができる。
【００２６】
着色層２４２の母材となる樹脂は、ＰＥＴ樹脂や、ＰＣ樹脂、ＭＳ樹脂、ＭＢＳ樹脂、ＴＡＣ樹脂、ＰＥＮ樹脂、アクリル系樹脂等を用いることができる。
この着色層（光吸収部）２４２の母材に含有される光吸収剤には、波長選択性を有する材料が用いられ、例えば、アゾ構造、フタロシアニン構造、キナクリドン構造、アントラキノン構造、インドリン構造、インダンスロン構造、ペリレン構造、ポルフィリン構造、スクアリリウム構造、チオフェン構造などを含む色素を適用することができる。
この実施形態において、着色層（光吸収部）２４２は、映像光Ｌに係る赤色、緑色、青色のレーザー光の波長を含まない波長帯域に光吸収帯域を有した複数種類の波長選択性を有する材料（光吸収剤）を上記母材に混合することによって形成される。
【００２７】
図４は、光吸収部（着色層２４２）に含有される波長選択性を有する材料の光学特性を示す特性曲線図である。図４（ａ）〜（ｄ）は、それぞれ、光吸収部に含有される波長選択性を有する材料Ａ〜Ｄの光学特性を示す図であり、縦軸が光の吸収率［％］を示し、横軸が光の波長［ｎｍ］を示す。
【００２８】
本実施形態の着色層（光吸収部）２４２は、図４（ａ）〜（ｄ）の各図に示す材料Ａ〜Ｄが、母材となる樹脂材料に含有されている。
材料Ａは、図４（ａ）に示すように、青色レーザー光ＬＢ（波長４６５ｎｍ）の短波長側に、光吸収帯域を有する色素である。材料Ａの光吸収特性のピークは、波長４０２ｎｍであり、その光吸収率の半値幅は、１０〜８０ｎｍである。ここで、光吸収率の半値幅とは、吸収ピークの半値となる短波長側の波長の値と、長波長側の波長の値との差をいう。
材料Ａは、上記の例に限らず、青色レーザー光ＬＢの波長よりも短波長側となる波長域に光吸収帯域及び光吸収特性のピークを有する色素を用いることができ、例えば、アゾメチン系化合物、インドール系化合物、けい皮酸系化合物、ポルフィリン系化合物等を用いることができ、ピリミジン系化合物（光吸収率のピーク波長が３９４ｎｍ）が好適である。材料Ａとして、これらを適宜組み合わせて用いてもよい。
材料Ｂは、図４（ｂ）に示すように、赤色レーザー光ＬＲ１（波長６３８ｎｍ）の長波長側に、光吸収帯域を有する色素である。材料Ｂの光吸収特性のピークは、波長６８０ｎｍであり、その光吸収率の半値幅は、１０〜８０ｎｍである。なお赤色のレーザー光にあっては、波長６４２ｎｍによるレーザー光ＬＲ２を適用する場合もある。
材料Ｂは、上記の例に限らず、赤色レーザー光ＬＲ１及びＬＲ２の波長よりも長波長側となる波長域に光吸収帯域及び光吸収特性のピークを有する色素を用いることができる。材料Ｂは、例えば、フタロシアニン系化合物（光吸収率のピーク波長が６８０ｎｍ）が好適である。
【００２９】
材料Ｃは、図４（ｃ）に示すように、緑色レーザー光ＬＧ（波長５２５ｎｍ）の長波長側であって赤色レーザー光（波長６３８ｎｍ）ＬＲ１の短波長側であり、これらレーザー光ＬＧ、ＬＲ１の波長間に、光吸収帯域を有する色素である。材料Ｃの光吸収特性のピークは、波長５９４ｎｍであり、その光吸収率の半値幅は、１０〜７０ｎｍである。
材料Ｃは、上記の例に限らず、緑色レーザー光ＬＧの波長と赤色レーザー光のうち短波長側となる赤色レーザー光ＬＲ１の波長との間である５９０ｎｍ付近（５７０〜６２０ｎｍ）の波長域に光吸収帯域及び光吸収特性のピークを有する色素を用いることができ、例えば、シアニン系化合物、ジフェニル系スクアリリウム加工物等を用いることができ、ポルフィリン系化合物（光吸収率のピーク波長が５８５ｎｍ）が好適である。材料Ｃとして、これらを適宜組み合わせて用いてもよい。
材料Ｄは、図４（ｄ）に示すように、緑色レーザー光ＬＧ（波長５２５ｎｍ）の短波長側であって青色レーザー光（波長４６５ｎｍ）ＬＢの長波長側であり、これらレーザー光ＬＢ、ＬＧの波長間に、光吸収帯域を有する色素である。材料Ｄの光吸収特性のピークは、波長４９３ｎｍであり、その光吸収率の半値幅は、１０〜８０ｎｍである。
材料Ｄは、上記の例に限らず、青色レーザー光ＬＢの波長と緑色レーザー光ＬＧの波長との間である４９０ｎｍ付近（４８０〜５１０ｎｍ）の波長域に光吸収帯域及び光吸収特性のピークを有する色素を用いることができ、例えば、ピラゾール系スクアリリウム化合物、ジピロメテン系化合物等を用いることができ、メロシアニン系化合物（光吸収率のピーク波長が４９６ｎｍ）が好適である。材料Ｄとして、これらを適宜組み合わせて用いてもよい。
このような映像光Ｌに係る赤色、緑色、青色のレーザー光の波長を含まない波長帯域に光吸収帯域を備えた各材料（Ａ〜Ｄ）を混合することにより、映像光Ｌに係る赤色、緑色、青色のレーザー光を選択的に透過するように着色層２４２を形成することができる。
【００３０】
図３は、本実施形態のレンズ層２３及び反射層２２の詳細を説明する図である。
図３（ａ）は、レンズ層２３を背面側正面方向から観察した様子を示しており、理解を容易にするために、反射層２２の図示は省略して示している。図３（ｂ）は、図２に示す断面の一部をさらに拡大して示している。図３（ｃ）は、反射層が形成されたレンズ層の拡大斜視図を示している。なお、図３（ｂ）及び図３（ｃ）は、理解を容易にするために、レンズ層２３の映像源側に位置する基材層２４や表面層２５は省略して示している。
【００３１】
レンズ層２３は、基材層２４の背面側に設けられた光透過性を有する層であり、図３（ａ）等に示すように、点Ｃを中心として単位レンズ２３１が同心円状に複数配列されたサーキュラーフレネルレンズ形状をその背面側の面に有している。このサーキュラーフレネルレンズ形状は、その光学的中心（フレネルセンター）である点Ｃが、反射スクリーン２０の画面（表示領域）の領域外であって、反射スクリーン２０の下方側に位置している。
本実施形態では、レンズ層２３、その背面側の面にサーキュラーフレネルレンズ形状を有する例を挙げて説明するが、これに限らず、単位レンズ２３１がスクリーン面に沿って画面上下方向等に配列されたリニアフレネルレンズ形状を有する形態としてもよい。
【００３２】
単位レンズ２３１は、図２や図３（ｂ）に示すように、スクリーン面に直交する方向（反射スクリーン２０の厚み方向）に平行であって、単位レンズ２３１の配列方向に平行な断面における断面形状が、略三角形形状である。
単位レンズ２３１は、背面側に凸であり、レンズ面２３２と、このレンズ面２３２と対向する非レンズ面２３３とを備えている。
本実施形態では、反射スクリーン２０の使用状態において、単位レンズ２３１は、レンズ面２３２が頂点ｔを挟んで非レンズ面２３３よりも鉛直方向上側に位置している。
【００３３】
図３（ｂ）に示すように、単位レンズ２３１のレンズ面２３２が、スクリーン面に平行な面となす角度は、αである。また、非レンズ面２３３がスクリーン面に平行な面となす角度は、β（β＞α）である。さらに、単位レンズ２３１の配列ピッチは、Ｐであり、単位レンズ２３１のレンズ高さ（スクリーンの厚み方向における頂点ｔから単位レンズ２３１間の谷底となる点ｖまでの寸法）は、ｈである。
【００３４】
理解を容易にするために、図２等では、単位レンズ２３１の配列ピッチＰ、角度α，βは、単位レンズ２３１の配列方向において一定であるように示している。しかし、本実施形態の単位レンズ２３１は、実際には、配列ピッチＰ等が一定であるが、角度αが単位レンズ２３１の配列方向においてフレネルセンターとなる点Ｃから離れるにつれて次第に大きくなっている。また、それに伴いレンズ高さｈも変動している。本実施形態の単位レンズ２３１は、その配列ピッチＰが５０〜２００μｍの範囲で形成され、レンズ高さｈが０．５〜６０μｍの範囲で形成され、レンズ面２３２の角度αが０．５〜３５°の範囲で形成され、非レンズ面２３３の角度βが４５〜９０°の範囲で形成されている。
【００３５】
なお、これに限らず、配列ピッチＰは、単位レンズ２３１の配列方向に沿って次第に変化する形態等としてもよく、映像光Ｌを投影する映像源ＬＳの画素（ピクセル）の大きさや、映像源ＬＳの投射角度（反射スクリーン２０のスクリーン面への映像光の入射角度）、反射スクリーン２０の画面サイズ、各層の屈折率等に応じて、適宜変更可能である。
【００３６】
レンズ層２３は、ウレタンアクリレートやエポキシアクリレート等の紫外線硬化型樹脂により、基材層２４の背面側の面に形成されている。なお、レンズ層２３は、電子線硬化型樹脂等の他の電離放射線硬化型樹脂により形成してもよい。
また、レンズ層２３は、熱可塑性樹脂を用いてもよく、レンズ層２３のフレネルレンズ形状に応じて、プレス成形法等により形成してもよい。さらに、レンズ層２３の基材となる支持層を設け、支持層の背面側にレンズ層２３を上述の方法等により形成してもよい。このようなレンズ層２３の場合には、不図示の接合層等を介して、その映像源側に基材層２４等を積層する形態としてもよい。
【００３７】
反射層２２は、光を反射する作用を有する層である。この反射層２２は、光を反射するために十分な厚さを有し、単位レンズ２３１のレンズ面２３２の少なくとも一部に形成されている。
本実施形態の反射層２２は、図２や図３（ｂ）に示すように、レンズ面２３２及び非レンズ面２３３に形成されている。具体的には、反射層２２は、レンズ層２３の背面側を覆い、背面側に凸となる単位レンズ２３１間の境界、すなわち、谷底となる点ｖを埋めるようにして形成されている。これにより、反射層２２は、レンズ層の背面側の凹凸を略平坦にすることができ、接合層４０を介して支持板３０をより安定して貼付することができる。
【００３８】
ここで、単位レンズ２３１のレンズ高さｈは、上述したように、単位レンズ２３１の配列方向においてフレネルセンターとなる点Ｃから離れるにつれて変動するが、各単位レンズ２３１間の谷底となる点ｖにおけるレンズ層２３の厚み方向の反射層２２の厚みは、上述の効果をより効果的に奏するために、各単位レンズ２３１のレンズ高さｈに対して１０〜１２０％の範囲内の寸法で形成されていることが好ましい。
【００３９】
反射層２２は、レンズ面２３２上に、アルミニウム等の光反射性の高い鱗片状の金属薄膜２２ａが含有された塗料（樹脂）をレンズ面２３２に対してスプレー塗布することによって形成される。反射層２２は、この鱗片状の金属薄膜２２ａの厚み方向に垂直な面がレンズ面２３２に対して略平行に配置されており、レンズ面２３２に入射した映像光Ｌを観察者側へと適正に反射させることができる。ここで、略平行とは、金属薄膜２２ａの厚み方向に垂直な面が、レンズ面２３２に対して完全に平行な場合だけでなく、レンズ面２３２に対する傾きが−１０°〜＋１０°の範囲にある場合をも含むものをいう。また、鱗片状の金属薄膜２２ａとは、金属薄膜２２ａの厚み方向から見た形状（外形形状）が鱗片状であることをいい、この鱗片状とは、鱗状の形状だけでなく、楕円状や、円状、多角形状、薄膜を粉砕して得られる不定形な形状等を含むものをいう。
【００４０】
ここで、鱗片状の金属薄膜の性質区分としては、リーフィングタイプ、ノンリーフィングタイプ、樹脂コーティングタイプ等があり、金属光沢、隠蔽性、密着性、配向性等にそれぞれ特徴があるが、本実施形態としては、金属光沢も重要であるが、密着性、配向性等考慮し樹脂コーティングタイプが好適である。
【００４１】
この金属薄膜２２ａは、映像光の反射効率を維持、向上させるとともに、反射層２２の背面側が透けてしまうのを防ぐために、複数ある各単位レンズのレンズ面上において平均で８層以上、積層されていることが望ましい。なお、上述の金属薄膜２２ａを８層以上設けた反射層２２は、複数ある単位レンズ２３１のレンズ面２３２のうち一部のレンズ面２３２に対して設けてもよく、また、全てのレンズ面２３２に対して設けてもよい。
【００４２】
この反射層２２を形成する塗料は、鱗片状の金属薄膜２２ａ、バインダー、乾燥補助剤、制御剤等から構成されている。この塗料は、スプレーガンによる塗布容易性の観点から、粘度が５０〜１０００［ｃｐ］（測定温度摂氏２３度）の範囲内であることが望ましい。
この金属薄膜２２ａは、鱗片状に形成されたアルミニウムであり、その厚み寸法は、１５〜１５０ｎｍの範囲に、より好ましくは２０〜８０ｎｍの範囲に形成されている。また、金属薄膜２２ａは、厚み方向に直交する縦方向及び横方向における寸法（以下、縦寸法、横寸法という）の平均値が、単位レンズ２３１のレンズ高さｈと同等の寸法、すなわち、０．３５〜７８μｍに形成されているのが好ましい。ここで、レンズ高さｈと同等とは、金属薄膜の縦寸法及び横寸法がレンズ高さｈに等しい場合だけでなく、レンズ高さｈに近似する場合（例えば、レンズ高さｈに対して−３０％〜＋３０％の寸法範囲）も含むものをいう。
【００４３】
ここで、この金属薄膜２２ａが非レンズ面２３３に略平行に配置されてしまうと、外光が非レンズ面２３３に入射した場合に、その外光が非レンズ面２３３で反射して観察者側に届いてしまう場合があり、その場合、映像のコントラスト低下の要因となる。そのため、金属薄膜２２ａの縦寸法及び横寸法を、上述のようにレンズ高さｈと同等にすることによって、塗料がレンズ層２３の背面側に塗布された場合に、金属薄膜２２ａが、非レンズ面２３３に対して略平行に配置されてしまうのを抑制することができる。これにより、反射層２２は、外光が非レンズ面２３３に入射したとしても、金属薄膜の端部で拡散させることができ、観察者側に反射させてしまうのを極力抑制することができる。
金属薄膜２２ａは、反射層としての光反射機能の確保の観点から、塗料全体の重量に対して重量比で３〜１５％の範囲内で含有されるのが望ましい。
【００４４】
バインダーは、熱硬化性樹脂から構成される透明な接合剤であり、反射層２２を形成する母材である。本実施形態では、バインダーは、ウレタン系の熱硬化性樹脂を用いるが、これに限定されるものでなく、エポキシ系の熱硬化性樹脂を用いてもよく、また、紫外線硬化性樹脂等を用いてもよい。なお、バインダーは、硬化剤を添加し２液硬化型として使用してもよく、ウレタン系樹脂であれば、ポリイソシアネート等を使用することができ、また、エポキシ系樹脂であれば、アミン類等を使用することができる。
【００４５】
乾燥補助剤は、レンズ層に塗布された塗料の乾燥時間を所定の時間に調整する溶剤であり、いわゆる遅乾溶剤である。本実施形態では、乾燥補助剤は、レンズ層２３の背面側に塗布された塗料の乾燥までの時間をおよそ１時間となるように、所定の量が塗料に含まれている。乾燥補助剤は、例えば、プロピレングリコールモノメチルエーテルアセテート、エチレングリコールモノブチルエーテル、ジイソブチルケトン、３−メトキシ−１−ブチルアセテートの混合溶剤を使用することができる。
【００４６】
制御剤は、塗料に含有される金属薄膜２２ａの配向を制御する溶剤である。制御剤は、塗料に含まれることによって、金属薄膜２２ａをレンズ面２３２に対して略平行に配置させることができる。制御剤は、例えば、シリカ、アルミナ、水酸化アルミニウム、アクリルオリゴマー、シリコン等を使用することができる。
【００４７】
反射層２２は、その光反射特性を良好に確保する観点と、反射スクリーン２０の背面側の外観を良好に保つ観点から、図３（ｂ）に示すように、単位レンズ２３１の配列方向におけるレンズ面２３２の中央部Ｑにおいてレンズ面２３２に垂直な方向の厚みＴ（膜厚）が、８μｍ≦Ｔ≦１５μｍの範囲で形成されているのが望ましい。
【００４８】
仮に、反射層２２の上記厚みＴが８μｍ未満である場合、反射層２２の反射率が低下してしまい、十分に映像光を反射することができなくなるおそれがあり、また、反射スクリーン２０の背面側に表出する反射層２２において、塗膜のある部分と無い部分とが生じてしまい、外観にムラや掠れなどが生じ、反射スクリーン２０の背面側の外観を損なうおそれがあるため、好ましくない。
また、反射層２２の上記厚みＴが１５μｍよりも大きい場合、反射層２２に含まれる金属薄膜２２ａの一部が、レンズ面に略平行に配列されず、部分的にレンズ面に対して略垂直に配列され、反射層２２の背面側の外観にムラが生じてしまい、反射スクリーン２０の背面側の外観を損なう恐れがあるため好ましくない。
【００４９】
なお、反射層２２は、上述の鱗片状の金属薄膜２２ａが含有された樹脂に限定されるものでなく、アルミニウムや、銀、ニッケル等の光反射特性を有する金属材料を蒸着や、スパッタリングする、又は金属箔を転写する等によって形成されるようにしてもよい。この場合、反射層の厚みが非常に薄く（例えば、１００Å）なる場合があるので、反射スクリーン２０は、映像光が反射層２２の背面側へ抜けたり、背面側の光が反射層２２を透過して映像源側に抜けたりするのを抑制する観点から、反射層２２の背面側に光の抜けを抑制する遮光層を設けるようにしてもよい。
【００５０】
表面層２５は、基材層２４の映像源側（観察者側）に設けられる層である。本実施形態の表面層２５は、反射スクリーン２０の映像源側の最表面を形成している。
本実施形態の表面層２５は、ハードコート機能及び防眩機能を有しており、基材層２４の映像源側の表面に、ハードコート機能を有する紫外線硬化型樹脂（例えば、ウレタンアクリレート）等の電離放射線硬化型樹脂を塗膜の膜厚約１０〜１００μｍとなるように塗布し、微細な凹凸形状（マット形状）をその樹脂膜表面に転写する等して硬化させ、表面に微細凹凸形状が賦形されて形成されている。
【００５１】
なお、表面層２５は、上記の例に限らず、反射防止機能や防眩機能、ハードコート機能、紫外線吸収機能、防汚機能や帯電防止機能等、適宜必要な機能を１つ又は複数選択して設けることができる。また、表面層２５としてタッチパネル層等を設けてもよい。
また、表面層２５は、反射防止機能や紫外線吸収機能、防汚機能や帯電防止機能等を有する層を、表面層２５と基材層２４との間に、さらに別層として設けてもよい。
さらに、表面層２５は、基材層２４とは別層であって不図示の粘着材等により基材層２４に接合される形態としてもよいし、基材層２４のレンズ層２３とは反対側（映像源側）の面に直接形成してもよい。
【００５２】
図２に戻り、本実施形態の反射スクリーン２０へ入射する映像光及び外光の様子を説明する。図２では、理解を容易にするために、表面層２５、着色層２４２、光拡散層２４１、レンズ層２３の屈折率は等しいものとし、映像光Ｌ及び外光Ｇに対する光拡散層２４１の光拡散作用等は省略して示している。
図２に示すように、映像源ＬＳから投影された大部分の映像光Ｌ１は、反射スクリーン２０の下方から入射し、表面層２５及び基材層２４を透過してレンズ層２３の単位レンズ２３１へ入射する。
そして、映像光Ｌ１は、レンズ面２３２へ入射して反射層２２によって反射され、観察者Ｏ側に向かい、略正面方向へ反射スクリーン２０から出射する。
【００５３】
このとき、赤色、緑色、青色のレーザー光から形成される映像光Ｌ１は、上述のように材料Ａ〜材料Ｄを含有した着色層２４２において、ほとんど吸収されずに透過することができる。従って、映像光Ｌ１は、効率よく観察者Ｏに届くので、本実施形態の反射スクリーン２０は、明るく、良好なコントラストにより映像を表示することができる。
なお、映像光Ｌ１が反射スクリーン２０の下方から投射され、かつ、角度β（図３（ｂ）参照）が反射スクリーン２０の画面上下方向の各点における映像光Ｌ１の入射角度よりも大きいので、映像光Ｌ１が非レンズ面２３３に直接入射することはなく、非レンズ面２３３は、映像光Ｌ１の反射には影響しない。
【００５４】
一方、照明光等の不要な外光Ｇ（Ｇ１、Ｇ２）は、図２に示すように、主として反射スクリーン２０の上方から入射し、表面層２５及び基材層２４を透過してレンズ層２３の単位レンズ２３１へ入射する。ここで、照明光等の不要な外光Ｇ（Ｇ１、Ｇ２）のうち赤色、緑色、青色以外の波長帯域の光は、その大部分が、着色層２４２において吸収され、赤色、緑色、青色に係る波長帯域の光が主に単位レンズ２３１に入射する。
単位レンズ２３１に入射した一部の外光Ｇ１は、非レンズ面２３３へ入射するが、非レンズ面２３３の背面側に形成された反射層２２の金属薄膜２２ａの端部で拡散され、観察者Ｏ側に届いたとしてもその光量は、映像光Ｌ１に比べて大幅に少ない。
また、一部の外光Ｇ２は、レンズ面２３２で反射して、主として反射スクリーン２０の下方側へ向かい、観察者Ｏ側には直接届かず、また、届いた場合にもその光量は、映像光Ｌ１に比べて大幅に少ない。
従って、反射スクリーン２０では、外光Ｇ１，Ｇ２等による映像のコントラスト低下を抑制することができる。
【００５５】
以上より、本実施形態の反射スクリーン２０は、以下の効果を奏する。
本実施形態の反射スクリーン２０は、基材層２４と、基材層２４の背面側にフレネルレンズ形状が形成されたレンズ層２３と、レンズ層２３の背面側に設けられた反射層２２とを備え、反射層２２よりも映像源側に、波長選択性を有する光吸収部（着色層２４２）が設けられている。これにより、反射スクリーン２０は、外光の反射を低減し、コントラストを向上することができる。
また、光吸収部を、基材層２４を構成する着色層２４２への波長選択性を有する材料の混入により形成することによって、光吸収部の機能を有した基材層２４を、共押出成形等による簡易な工程により作成することができる。
本実施形態の反射スクリーン２０は、光吸収部が、赤色、緑色、青色のレーザー光の波長を含まない波長帯域に光吸収帯域を有した複数種類の波長選択性を有する材料を含有している。これにより、反射スクリーン２０は、映像源から投射された赤色、緑色、青色のレーザー光を効率よく観察者側に反射して輝度が低下してしまうのを抑制するとともに、外光等の不要な光を吸収して観察者側に反射してしまうのを極力抑制することができる。
【００５６】
〔第２実施形態〕
次に、第２実施形態の反射スクリーンについて説明する。
図５は、第２実施形態の反射スクリーン１２０の層構成を説明する図であり、図２に対応する図である。
第２実施形態の反射スクリーン１２０は、図５に示すように、波長選択性を有する材料を含有した光吸収部が、基材層２４の着色層２４２の代わりにレンズ層１２３に設けられている点で、第１実施形態の反射スクリーン２０と相違している。したがって、第１実施形態と同様の機能を果たす部分には、同一の符号又は末尾に同一の符号を付して、重複する説明を適宜省略する。
【００５７】
レンズ層（光吸収部）１２３は、上述の第１実施形態と同様の形状に形成されている。本実施形態のレンズ層１２３は、第１実施形態に記載のレンズ層２３を形成する樹脂に、上述の第１実施形態の着色層２４２に含有された波長選択性を有する材料Ａ〜Ｄと同様の材料を含有させることによって形成されている。これにより、レンズ層１２３は、映像源から投射された赤色、緑色、青色のレーザー光を効率よく透過するとともに、赤色、緑色、青色の波長帯域以外の光を吸収することができる。
基材層１２４は、反射スクリーン１２０の基礎となるシート状の基材であり、本実施形態では、光拡散層２４１により構成されており、着色層は省略されている。
【００５８】
以上より、本実施形態の反射スクリーン１２０は、上述の第１実施形態の反射スクリーン２０と同様に、外光の反射を低減し、コントラストを向上することができる。
また、光吸収部を、レンズ層１２３を構成する樹脂への波長選択性を有する材料の混入により形成することによって、光吸収部の機能を有したレンズ層１２３を、簡易な工程により作成することができる。
さらに、本実施形態の反射スクリーン１２０は、第１実施形態の基材層に設けられた着色層を省略することができるので、第１実施形態の反射スクリーン２０に比して層構成を単純にすることができ、製造効率を向上させたり、製造コストを低減したりすることができる。
【００５９】
〔第３実施形態〕
次に、第３実施形態の反射スクリーンについて説明する。
図６は、第３実施形態の反射スクリーン２２０の層構成を説明する図であり、図２に対応する図である。
第３実施形態の反射スクリーン２２０は、図６に示すように、波長選択性を有する材料を含有した光吸収部が、レンズ層１２３の代わりに表面層２２５に設けられている点で、第２実施形態の反射スクリーン１２０と相違している。したがって、第２実施形態と同様の機能を果たす部分には、同一の符号又は末尾に同一の符号を付して、重複する説明を適宜省略する。なお、本実施形態のレンズ層２３は、第１実施形態のレンズ層２３と同様の構成により形成される。
表面層（光吸収部）２２５は、上述の第２実施形態と同様の形状に形成されている。本実施形態の表面層２２５は、第１実施形態に記載の表面層２５を形成する樹脂に、上述の第２実施形態のレンズ層１２３に含有された波長選択性を有する材料Ａ〜Ｄと同様の材料を含有させることにより形成されている。
【００６０】
以上より、本実施形態の反射スクリーン２２０は、上述の第２実施形態の反射スクリーン１２０と同様に、外光の反射を低減し、コントラストを向上することができる。
また、本実施形態の反射スクリーン２２０は、光吸収部を、表面層２２５を構成する樹脂への波長選択性を有する材料の混入により形成することによって、光吸収部の機能を有した表面層２２５を、簡易な工程により作成することができる。
さらに、本実施形態の反射スクリーン２２０は、表面層２５に波長選択性を有する材料を含有させて光吸収部を構成しているので、反射スクリーン２０の表面における正反射成分を低減することができ、これにより外光の反射によるいわゆる天井ゴースト等を低減することができる。
【００６１】
〔第４実施形態〕
次に、第４実施形態の反射スクリーンについて説明する。
図７は、第４実施形態の反射スクリーン３２０の層構成を説明する図であり、図２に対応する図である。
第４実施形態の反射スクリーン３２０は、図７に示すように、波長選択性を有する材料を含有した光吸収部をレンズ層１２３に設ける代わりに、波長選択性を有する材料を含有した光吸収層（光吸収部）３２６を、基材層１２４の背面に別途設ける点で、上述の第２実施形態の反射スクリーン１２０と相違している。したがって、第２実施形態と同様の機能を果たす部分には、同一の符号又は末尾に同一の符号を付して、重複する説明を適宜省略する。なお、本実施形態のレンズ層２３は、第１実施形態のレンズ層２３と同様の構成により形成される。
【００６２】
反射スクリーン３２０は、映像源側から順に、表面層２５、基材層１２４、光吸収層３２６、レンズ層２３、反射層２２が積層されている。
光吸収層３２６は、異なる波長選択性を有する材料Ａ〜Ｄ（図４（ａ）〜（ｄ）参照）が含有された吸収層が複数積層されたシート状の部材である。具体的には、光吸収層３２６は、波長選択性を有する材料Ａを含有した第１吸収層３２６ａ、波長選択性を有する材料Ｂを含有した第２吸収層３２６ｂ、波長選択性を有する材料Ｃを含有した第３吸収層３２６ｃ、波長選択性を有する材料Ｄを含有した第４吸収層３２６ｄの４層が、観察者側から順に積層されている。
【００６３】
各吸収層（３２６ａ〜３２６ｄ）は、それぞれ、上述の波長選択性を有する材料を、光透過性を有する樹脂（例えば、ＰＣ（ポリカーボネート）樹脂、ＭＳ（メチルメタクリレート・スチレン）樹脂、ＭＢＳ（メチルメタクリレート・ブタジエン・スチレン）樹脂、ＴＡＣ（トリアセチルセルロース）樹脂、ＰＥＮ（ポリエチレンアフタレート）樹脂、ＰＥＴ（ポリエチレンテレフタラート）樹脂、ＰＭＭＡ（ポリメチルメタクリレート）樹脂）等に含有させることにより形成される。光吸収層３２６は、例えば、各吸収層（３２６ａ〜３２６ｄ）を適宜、不図示の接合層等によって接合されることにより形成される。
なお、第１吸収層〜第４吸収層（３２６ａ〜３２６ｄ）の積層順は、上述の形態に限定されるものでなく、各層が異なる順序で積層されるようにしてもよい。また、光吸収層３２６は、基材層１２４の背面に配置される例で説明したが、反射層２２よりも観察者側であれば特に限定されるものでなく、例えば、基材層１２４の映像源側の面や、表面層２５の映像源側の面や、レンズ層２３と反射層２２との間等に配置されるようにしてもよい。
【００６４】
以上より、本実施形態の反射スクリーン３２０は、上述の第２実施形態の反射スクリーン１２０と同様に、外光の反射を低減し、コントラストを向上することができる。
また、本実施形態の反射スクリーン３２０は、光吸収層３２６が、異なる複数の波長選択性を有する材料の吸収層（３２６ａ〜３２６ｄ）により形成されているので、要求される光学特性等に応じて使用する吸収層を選択して光吸収層３２６を設定することができる。
【００６５】
〔第５実施形態〕
次に、第５実施形態の反射スクリーンについて説明する。
図８は、第５実施形態の反射スクリーン４２０の層構成を説明する図であり、図２に対応する図である。
図９は、第５実施形態の光吸収層４２６を観察者側から見た部分拡大図である。
第５実施形態の反射スクリーン４２０は、図８に示すように、波長選択性を有する材料を含有した光吸収部をレンズ層１２３に設ける代わりに、波長選択性を有する材料を含有した光吸収層４２６を、基材層１２４の背面側に別途設ける点で、上述の第２実施形態の反射スクリーン１２０と相違している。したがって、第２実施形態と同様の機能を果たす部分には、同一の符号又は末尾に同一の符号を付して、重複する説明を適宜省略する。なお、本実施形態のレンズ層は、第１実施形態のレンズ層と同様の構成により形成される。
【００６６】
反射スクリーン４２０は、映像源側から順に、表面層２５、基材層１２４、光吸収層４２６、レンズ層２３、反射層２２が積層されている。
光吸収層４２６は、図９に示すように、赤色、緑色、青色のレーザー光による映像光をそれぞれ選択的に透過する赤色領域Ｒ、緑色領域Ｇ、青色領域Ｂがパターニングされたシート状の部材である。
【００６７】
ここで、光吸収層４２６の赤色領域Ｒには、上述の図４に示す波長選択性を有する材料Ａ〜Ｄのほか、青色レーザー光ＬＢ（波長４６５ｎｍ）や、緑色レーザー光ＬＧ（波長５２５ｎｍ）の波長帯域を吸収する材料も含まれており、入射した光（可視光）のうち赤色レーザー光ＬＲ１（波長６３８ｎｍ）及び又はＬＲ２（波長６４２ｎｍ）を主に透過する。
同様に、光吸収層４２６の緑色領域Ｇには、上述の図４に示す波長選択性を有する材料Ａ〜Ｄのほか、青色レーザー光ＬＢ（波長４６５ｎｍ）や、赤色レーザー光ＬＲ１、ＬＲ２（波長６３８ｎｍ、６４２ｎｍ）の波長帯域を吸収する材料も含まれており、入射した光のうち緑色レーザー光ＬＧ（波長５２５ｎｍ）を主に透過する。
光吸収層４２６の青色領域Ｂには、上述の図４に示す波長選択性を有する材料Ａ〜Ｄのほか、赤色レーザー光ＬＲ１、ＬＲ２（波長６３８ｎｍ、６４２ｎｍ）や、緑色レーザー光ＬＧ（波長５２５ｎｍ）の波長帯域を吸収する材料も含まれており、入射した光のうち青色レーザー光ＬＢ（波長４６５ｎｍ）を主に透過する。
【００６８】
本実施形態の光吸収層４２６は、赤色領域Ｒ、緑色領域Ｇ、青色領域Ｂが、それぞれ画面上下方向が長辺となる矩形形状により形成され、画面左右方向には、赤色領域Ｒ、緑色領域Ｇ、青色領域Ｂが順次循環的に繰り返すように、画面上下方向には、同一の色領域が連続するように、いわゆるストライプ状の配列により形成される。
【００６９】
また光吸収層４２６は、これらの赤色領域Ｒ、緑色領域Ｇ、青色領域Ｂの各領域の境界に、黒色領域ＢＬが設けられており、この黒色領域ＢＬを設けることによって、反射スクリーン４２０の表示画面の黒味を増大してコントラストを向上することができる。
黒色領域ＢＬは、母材となる樹脂に黒色等の暗色系の着色剤が含有されることにより構成されている。黒色領域ＢＬを形成する着色剤は、例えば、グレー系や黒色系等の暗色系の染料や顔料等や、カーボンブラック、グラファイト、黒色酸化鉄等の金属塩等が好適に用いられ、また、母材には、ＰＥＴ樹脂や、ＰＣ樹脂、ＭＳ樹脂、ＭＢＳ樹脂、ＴＡＣ樹脂、ＰＥＮ樹脂、アクリル系樹脂等を用いることができる。
【００７０】
赤色、緑色、青色の各領域Ｒ、Ｇ、Ｂは、例えば、画面上下方向に１０〜４００μｍ、画面左右方向に１０〜４００μｍに形成され、各領域間の間隔（黒色領域ＢＬの幅）は、例えば、５〜５０μｍに形成される。
なお、黒色領域ＢＬは、画面上下方向、又は画面左右方向にそれぞれ延長するライン形状により作成するようにしてもよく、赤色領域Ｒ、緑色領域Ｇ、青色領域Ｂをそれぞれ囲む形状により作成してもよい。また、黒色領域ＢＬは、必要に応じて省略してもよい。
また、赤色、緑色、青色の各領域Ｒ、Ｇ、Ｂは、矩形形状以外の形状、例えば、円形形状や、六角形形状等の多角形形状により形成されるようにしてもよい。
【００７１】
光吸収層４２６は、例えば、以下のようにして作製される。
光吸収層４２６の赤色、緑色、青色の各領域Ｒ、Ｇ、Ｂは、透明基材上にオフセット印刷、フォトリソグラフィ、インクジェット方式等を適用して作製することができるが、なかでもインクジェット方式により、赤色、緑色、青色の各領域Ｒ、Ｇ、Ｂを形成するインクを吐出させるのが簡便である。
黒色領域ＢＬは、透明基材上にクロム蒸着法、フィルム転写法、インクジェット方式などを適用して形成することができるが、インクジェット方式がより簡便である。
黒色領域ＢＬを設ける場合、予め黒色領域ＢＬを形成して隔壁とし、その隔壁（黒色領域ＢＬ）に仕切られたマトリクス状の領域に赤色、緑色、青色の各領域Ｒ、Ｇ、Ｂを形成するインクをインクジェット法により吐出して赤色、緑色、青色の各領域Ｒ、Ｇ、Ｂを形成することによって、光吸収層４２６が作製される。そして、基材層１２４の背面に、作製された光吸収層２４６が接合される。
なお、光吸収層４２６は、基材層１２４の背面側の面に直接、インクジェット方式等により形成されるようにしてもよい。
【００７２】
（別の形態）
図１０は、第５実施形態の光吸収層の別な形態を示す図であり、図９に対応する図である。
光吸収層４２６は、上述の図９に示す形態に限定されるものでない。例えば、図１０に示すように、光吸収層４２６は、画面左右方向及び画面上下方向に、赤色領域Ｒ、緑色領域Ｇ、青色領域Ｂが順次循環的に繰り返す、いわゆるモザイク配列により形成されるようにしてもよい。
また、規則的な配置に代えて、赤色領域Ｒ、緑色領域Ｇ、青色領域Ｂの各領域が、ランダム（不規則）に配置されるようにしてもよい。
【００７３】
なお、光吸収層４２６は、基材層１２４の背面側に配置される例で説明したが、反射層２２よりも観察者側であれば特に限定されるものでなく、例えば、基材層１２４の映像源側の面や、表面層２５の映像源側の面や、レンズ層２３と反射層２２との間等に配置されるようにしてもよい。なお、レンズ層２３と反射層２２との間に光吸収層４２６を設ける場合、レンズ層２３の背面側に、インクジェット法等により黒色領域ＢＬ、赤色領域Ｒ、緑色領域Ｇ、青色領域Ｂを形成して光吸収層４２６を作製し、その背面側に反射層２２を形成する。
【００７４】
以上より、本実施形態の反射スクリーン４２０は、上述の第２実施形態の反射スクリーン１２０と同様に、外光の反射を低減し、コントラストを向上することができる。
また、本実施形態の反射スクリーン４２０は、赤色領域Ｒ、緑色領域Ｇ、青色領域Ｂのパターニングによって赤色、緑色、青色のレーザー光の映像光の透過率を十分に確保して、外光を十分に吸収することができる。
さらに、本実施形態の反射スクリーン４２０は、赤色領域Ｒ、緑色領域Ｇ、青色領域Ｂの各領域の境界に黒色領域ＢＬが設けられているので、反射スクリーン４２０の表示画面の黒味を増大してコントラストを向上することができる。
【００７５】
〔第６実施形態〕
次に、第６実施形態の反射スクリーン５２０について説明する。
図１１は、第６実施形態の反射スクリーン５２０の層構成を説明する図であり、図２に対応する図である。
第６実施形態の反射スクリーン５２０は、図１１に示すように、光吸収部として波長選択性を有する材料を含有した着色層２４２（光吸収部）を、拡散剤を含有しない基材層５２４の映像源側に設ける点と、表面層５２５が映像源側に光学形状を有している点と、反射層５２２がレンズ面２３２のみに形成されている点、遮光層５２７を備えている等が、上述の第１実施形態の反射スクリーン２０と相違している。したがって、第１実施形態と同様の機能を果たす部分には、同一の符号又は末尾に同一の符号を付して、重複する説明を適宜省略する。なお、本実施形態のレンズ層２３は、第１実施形態のレンズ層２３と同様である。
【００７６】
基材層５２４は、光透過性を有する層であり、拡散剤を含有していない。この基材層５２４は、第１実施形態に示した光拡散層２４１の母材となる樹脂を用いて形成することができ、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、ＴＡＣ（トリアセチルセルロース）樹脂、ＰＥＮ（ポリエチレンナフタレート）樹脂、アクリル系樹脂等が好適である。
【００７７】
着色層（光吸収部）２４２は、上述の第１実施形態の着色層２４２と同様な層であり、入射した光のうち、特定の波長帯域の光を透過し、その他を吸収する光吸収部である。
なお、本実施形態では、着色層２４２は、基材層５２４の映像源側に設けられる例を示しているが、これに限らず、基材層５２４の背面側に位置する形態としてもよい。
【００７８】
本実施形態の反射層５２２は、図１１に示すように、レンズ面２３２に形成されているが、非レンズ面２３３には形成されていない。そして、反射層５２２は、アルミニウムや、銀、ニッケル等の光反射特性を有する金属材料を蒸着や、スパッタリングする、又は金属箔を転写する等によって形成されている。
なお、これに限らず、反射層５２２は、レンズ面２３２及び非レンズ面２３３に形成されている形態としてもよい。
【００７９】
遮光層５２７は、反射層５２２よりも背面側に形成された層であり、単位レンズ２３１による凹凸形状を埋めて反射スクリーン５２０の背面側の面を平面状とする層である。
この遮光層５２７は、光吸収性を有しており、蒸着等により非常に薄い厚み（例えば、１００Å）となっている反射層５２２から映像光が背面側へ抜けたり、背面側の光が反射層５２２を透過して映像源側に抜けたりすることを抑制する効果を有する。また、反射層５２２を劣化や破損、剥離等から保護する機能も有している。
なお、遮光層５２７は、例えば、紫外線吸収機能や防汚機能等を備えていてもよいし、背面側から反射スクリーン５２０に入射する外光等の問題がない場合は、光吸収性を有しない形態としてもよい。
【００８０】
図１２は、表面層５２５を説明する図である。図１２（ａ）は、表面層５２５を映像源側正面方向から観察した様子を示し、図１２（ｂ）は、反射スクリーン５２０の画面左右方向及び厚み方向に平行な断面における表面層５２５の断面の一部を拡大して示している。
本実施形態の表面層５２５は、その映像源側の面に、映像源側に凸となる単位表面レンズ５２５１が配列されたレンチキュラーレンズ形状を有している。
【００８１】
単位表面レンズ５２５１は、円柱形状の一部形状であり、画面上下方向（Ｙ方向）を稜線方向（長手方向）とし、画面左右方向（Ｘ方向）に配列されている。また、単位表面レンズ５２５１は、図１２に示す断面形状が、円の一部形状となっている。なお、単位表面レンズ５２５１の形状は、上記に限らず、例えば、楕円柱形状の一部形状としてもよいし、複数の曲面からなる柱状のレンズ形状としてもよい。
このような単位表面レンズ５２５１が形成された表面層５２５を備えることにより、映像光が単位表面レンズ５２５１によって画面左右方向に拡散され、反射スクリーン５２０は、画面左右方向（Ｘ方向）における視野角を十分に確保することができる。
【００８２】
単位表面レンズ５２５１の配列ピッチＰ２は、３０〜１２０μｍの範囲内であり、単位表面レンズ５２５１の高さ（スクリーンの厚み方向における単位表面レンズ５２５１の頂点から単位表面レンズ１１１の間の谷底となる点までの寸法）ｈ２は、１０〜２５μｍの範囲内であることが、画面左右方向に映像光を拡散して画面左右方向における視野角を十分に確保する観点から好ましい。本実施形態の単位表面レンズ５２５１は、互いに隣接して配列されており、そのレンズ幅Ｗ２と配列ピッチＰ２とは等しいが、これに限らず、Ｗ２＞Ｐ２としてもよい。
表面層５２５の厚みは、１５〜３５μｍとなるように形成されている。
【００８３】
また、本実施形態の単位表面レンズ５２５１は、その映像源側（＋Ｚ側）表面が微細な凹凸形状を有する粗面である。表面層５２５の映像源側表面を粗面とした場合には、照明光や太陽光等の外光の映り込み低減効果や、画面上下方向（Ｙ方向）での視野角拡大効果等が得られる。
なお、これに限らず、単位表面レンズ５２５１の表面は、上述のような微細な凹凸形状を有しない滑らかな面であってもよい。
【００８４】
本実施形態の表面層５２５は、ウレタンアクリレートやエポキシアクリレート等の紫外線硬化型樹脂を用いて形成してもよいし、電子線硬化型樹脂等の電離放射線硬化型樹脂を用いてもよいし、熱可塑性樹脂を用いてもよい。
また、表面層５２５は、上記の例に限らず、他のレンズ形状を有していてもよいし、レンズ形状を有しない形態としてもよい。
【００８５】
反射スクリーン５２０は、可視光領域（４００〜７００ｎｍ）における分光反射率の分布において、赤色、緑色、青色のレーザー光の波長をそれぞれ中心とする±５０ｎｍの領域内において、反射率の極大値を有することが、映像のコントラストを高め、明るく良好な映像を表示する観点から好ましい。
また、反射スクリーン５２０は、赤色、緑色、青色のレーザー光（ＬＲ１、ＬＲ２、ＬＧ、ＬＢ）の波長での反射率の平均値をＰＡ［％］とし、可視光領域（４００〜７００ｎｍ）における１ｎｍごとの分光反射率の平均値をＰＢ［％］とするとき、これらの比である比ＰＡ／ＰＢが、ＰＡ／ＰＢ≧１．１６を満たすことが好ましい。
【００８６】
ＰＡ／ＰＢ＜１．１６である場合、反射スクリーンに入射する外光により、映像のコントラストが低下したり、表示される映像が暗くなったりするという問題がある。したがって、比ＰＡ／ＰＢは、ＰＡ／ＰＢ≧１．１６を満たすことが好ましい。
本実施形態の反射スクリーン５２０は、赤色、緑色、青色のレーザー光（ＬＲ１，ＬＲ２，ＬＧ，ＬＢ）の波長をそれぞれ中心とする±５０ｎｍの領域内において、反射率の極大値を有しており、ＰＡ／ＰＢ≧１．１６を満たしている。
なお、本実施形態では、平均値ＰＡの算出に際して、レーザー光として上記４つの光（ＬＢ，ＬＧ，ＬＲ１，ＬＲ２）を挙げたが、一般的に、映像源ＬＳのレーザー光源が、赤色、緑色、青色の３色の各色について１波長以上の複数の光源を用いてよい。したがって、平均値ＰＡについては、例えば、赤色、緑色、青色のレーザー光（ＬＲ１，ＬＧ，ＬＢ）の３波長の平均値としてもよい。
【００８７】
さらに、反射スクリーン５２０は、黒色表示の色度と基準色となる無彩色の色度との色差ΔＥ ＊ ａｂが、ΔＥ ＊ ａｂ≦２．４を満たしていることが好ましい。これは、色差ΔＥ ＊ ａｂ＞２．４である場合、黒色表示において色味の偏りが生じ、無彩色として視認されないためである。本実施形態の反射スクリーン５２０は、ΔＥ ＊ ａｂ≦２．４を満たしている。
【００８８】
第６実施形態の反射スクリーン５２０へ入射する映像光や外光について説明する。
図１１に示すように、映像源ＬＳから投射された大部分の映像光Ｌ１は、第１実施形態と同様に、反射層５２２で反射され、観察者Ｏ側へ向かう。このとき、赤色、緑色、青色のレーザー光から形成される映像光Ｌ１は、着色層２４２においてほとんど吸収されることがない。また、表面層５２５の単位表面レンズ５２５１によって画面左右方向に拡散されて観察者Ｏ側へ出射するので、画面左右方向の視野角を十分に確保することができる。
【００８９】
反射スクリーン５２０に入射した外光Ｇ（Ｇ１，Ｇ２）は、その大部分が、着色層２４２により、赤色、緑色、青色以外の波長帯域の光が吸収される。そして、一部の外光Ｇ２は、第１実施形態と同様に、反射層５２２で反射して反射スクリーン５２０の下方側へ向かい、観察者Ｏには直接届かず、届いた場合にもその光量は映像光Ｌ１に比べて大幅に少ない。また、一部の外光Ｇ１は、非レンズ面２３３へ入射し、遮光層５２７により吸収される。
よって、このような形態としても、前述の第１実施形態等と同様に、反射スクリーン５２０へ入射する外光の反射を低減し、表示される映像のコントラストを向上させ、良好な映像を表示することができる。
【００９０】
（別の形態）
光吸収部については、前述のような選択波長性を有する材料を、レンズ層２３を形成する材料に混錬して、レンズ層２３を光吸収部としてもよいし、基材層５２４を形成する材料に混錬して基材層５２４を光吸収部としてもよい。また、反射層５２２を、第１実施形態に示した金属薄膜を含有する材料に波長選択性を有する材料を混錬して形成し、反射層を光吸収部としてもよい。
また、反射スクリーンの可視光領域での分光反射率分布が、赤色、青色、緑色のレーザー光の波長を中心とした±５０ｎｍの領域内で反射率の極大値を有することや、比ＰＡ／ＰＢ≧１．１６を満たすことは、上述した第１〜第５実施形態においても満たされていることが、反射スクリーンに表示される映像のコントラストを高める観点から好ましい。
【００９１】
（反射スクリーンの評価に関して）
ここで、測定例１〜４の反射スクリーンを用意し、画面（表示領域）中央となる点Ａと、画面（表示領域）下端中央となる点Ｂにおける可視光領域（４００〜７００ｎｍ）の分光反射率を波長０．５ｎｍごとに測定した。
【００９２】
測定に用いた測定例１〜４の反射スクリーンは、着色層２４２以外は共通した構成を有しており、以下の通りである。
画面サイズ：縦９４７ｍｍ、横１６７４ｍｍ（７５インチ）
表面層５２５：単位表面レンズ５２５１のピッチＰ１＝１００μｍ、レンズ高さｈ１＝１５μｍ、表面に微細凹凸形状（マット形状）あり
基材層５２４：ポリエチレンテレフタレート樹脂製、厚さ２５０μｍ、透過率５９％
レンズ層２３：紫外線硬化型樹脂製、単位レンズ１３１の配列ピッチＰ２＝１００μｍ、画面下端の画面左右方向中央で角度αが約５°、画面上端の画面左右方向中央で角度αが約２０°であり、単位レンズ１３１の配列方向において角度βは９０°で一定
反射層５２２：アルミニウム蒸着により、レンズ面３２３にのみ形成
なお、測定時には、各測定例のスクリーンは、遮光層５２７を備えておらず、遮光層５２７に変えて、黒暗幕（黒色の布製の幕）を反射層の背面側に配置している。
【００９３】
各測定例の反射スクリーンの着色層は、以下の通りである。
測定例１の反射スクリーンの着色層２４２は、光吸収特性が選択波長性を有しており、比ＰＡ／ＰＢ≧１．１６を満たしている。
測定例２の反射スクリーンの着色層２４２は、光吸収特性が選択波長性を有しており、比ＰＡ／ＰＢ≧１．１６を満たしている。
測定例３の反射スクリーンの着色層は、光吸収特性が選択波長性を有しておらず、透過率（全光線透過率）が７０％である。
測定例４の反射スクリーンの着色層は、光吸収特性が選択波長性を有しておらず、透過率（全光線透過率）が５９％である。
測定例１，２の反射スクリーンは、第６実施形態の反射スクリーンの実施例に相当し、測定例３，４の反射スクリーンは、比較例に相当する。
【００９４】
測定方法に関しては、以下の通りである。
分光反射率は、分光光度計（島津製作所製、ＵＶ−２４５０／ＭＰＣ−２２００）により測定した。測定においては、各測定例の反射スクリーンの点Ａ，点Ｂを中心として６０ｍｍ四方に切り出した試料を、それぞれ分光光度計の測定室内に配置して行った。測定した波長領域は、可視光領域に相当する４００〜７００ｎｍであり、前述のように０．５ｎｍごとに測定を行った。
【００９５】
【表１】
2020173443.tif 000003
【００９６】
図１３は、測定例１〜４の反射スクリーンの分光反射率の測定結果を示す図である。図１３（ａ）は、点Ａにおける分光反射率分布を示し、図１３（ｂ）は、点Ｂにおける分光反射率分布を示している。図１３（ａ），（ｂ）において、縦軸は、反射率［％］であり、横軸は波長［ｎｍ］である。
また、表１は、図１３の測定結果をもとに、点Ａ及び点Ｂにおける赤色、緑色、青色のレーザー光（ＬＲ１，ＬＲ２，ＬＧ，ＬＢ）での反射率の平均値ＰＡ、可視光域（４００〜７００ｎｍ）での１ｎｍごとの反射率の平均値ＰＢを求め、比ＰＡ／ＰＢの値を求めた結果と、目視での映像の評価結果とを示したものである。表１に示す目視評価の結果に関して、○は、コントラストが高く明るく良好な映像が視認されたことを示し、×は、コントラストが低く暗い映像が視認されたことを示す。
【００９７】
図１３に示すように、測定例１，２の反射スクリーンでは、可視光領域（４００〜７００ｎｍ）での分光反射率分布において、赤色、緑色、青色のレーザー光（ＬＲ１，ＬＲ２，ＬＧ，ＬＢ）の波長を中心とした±５０ｎｍの領域内に、反射率の極大を有しているが、測定例３，４の反射スクリーンでは、そのような極大値が見られなかった。
また、表１に示すように、実施例に相当する測定例１，２の反射スクリーンでは、比ＰＡ／ＰＢは、点Ａにおいてそれぞれ１．１９、１．１６であり、点Ｂにおいてそれぞれ１．２２、１．１６であり、比ＰＡ／ＰＢの好ましい範囲を満たしている。
これに対して、測定例３，４の反射スクリーンでは、比ＰＡ／ＰＢは、点Ａにおいてそれぞれ１．０６、０．９８であり、点Ｂにおいてそれぞれ１．０６、０．９７であり、比ＰＡ／ＰＢの好ましい範囲を満たしていない。
【００９８】
これらの測定例１〜４の反射スクリーンに対して、実際に映像光を映像源ＬＳから投射し、明室環境下（点Ａにおける照度７００ｌｘ）で、スクリーンの画面中央となる点Ａの映像源側正面方向に３ｍであって床面から１．５ｍの高さである位置から、点Ａ及び点Ｂにおいて表示される映像を確認したところ、表１に示すように、実施例に相当する測定例１，２の反射スクリーンでは、映像のコントラストが高く、明るく良好な映像が視認されたが、測定例３，４の反射スクリーンでは、測定例１，２の反射スクリーンに比べて、映像のコントラストが低く、映像も暗く、明瞭さも低下していた。
したがって、反射スクリーンは、前述のように、比ＰＡ／ＰＢ≧１．１６を満たすことが好ましい。
本実施形態の反射スクリーンは、比ＰＡ／ＰＢ≧１．１６を満たすので、外光によるコントラストの低下を抑制し、かつ、明るく良好な映像を表示できる。
【００９９】
一方で、この比ＰＡ／ＰＢの値が好ましい範囲を満たしていても、反射スクリーンにおいて白色表示や黒色表示を行った場合に、映像等において色味の偏りが生じる場合があることがわかった。すなわち、外光による映像のコントラスト低下を抑制するために比ＰＡ／ＰＢを大きくすると、反射スクリーンの反射光における色のバランスが偏り、色再現性が低下してしまう場合があることがわかった。
反射スクリーンに表示される黒色の色度は、反射スクリーンに入射する外光（可視光域の波長の光）の反射光によって左右され、反射スクリーンの白色表示は、反射スクリーンに入射する映像光の反射光の分光反射率によって左右される。
【０１００】
反射スクリーンの黒色表示については、Ｌ ＊ ａ ＊ ｂ ＊ 表色系の色空間（ＣＩＥ１９７６）での基準色となる無彩色の色度と反射スクリーンにおける黒色表示の色度（即ち、外光の反射光の色度）との差であるΔＥ ＊ ａｂの値を、２．４以下（ΔＥ ＊ ａｂ≦２．４）とすることが好ましい。色差ΔＥ ＊ ａｂの値が２．４を超えると、反射スクリーンの黒色表示において色味の偏りが生じ、黒色（無彩色）に他の有彩色の色味が加わった状態で視認されてしまい、色再現性が低下する。
また、反射スクリーンの白色表示については、赤色、青色、緑色のレーザー光（ＬＲ１，ＬＲ２，ＬＧ，ＬＢ）の波長での反射率の最大値と最小値との差をΔＲとするとき、ΔＲ≦２．６％を満たすことが好ましい。ΔＲがこの範囲を満たすことにより、各レーザー光の反射率の差が小さくなり、白色表示での色味の偏りを低減でき、色再現性を向上できる。
【０１０１】
ここで、さらに測定例５の反射スクリーンを用意し、点Ａにおける可視光域（４００〜７００ｎｍ）での反射率分布を先述の測定例１〜４の反射スクリーンと同様に測定した。この測定例５の反射スクリーンは、着色層２４２以外の各層は、他の測定例の反射スクリーンと同じであり、比ＰＡ／ＰＢ＝１．１６であって、比ＰＡ／ＰＢの好ましい範囲を満たしている。
【０１０２】
そして、測定例１〜５の反射スクリーンにおいて、それぞれ、点Ａでの黒色表示のΔＥ ＊ ａｂを算出した。まず、前述の分光光度計により、標準白色板の色度を基準（リファレンス）として測定し、これに対する各測定例の反射スクリーンの試料（点Ａを中心とする６０ｍｍ四方の試料）の反射率分光スペクトルを実測により求めた。そして、黒色表示の色差ΔＥ ＊ ａｂは、標準Ｄ６５光源に対する色度値Ｌ ＊ 、ａ ＊ 、ｂ ＊ を計算し、これらの値から算出して得た。
また、測定例１〜５の反射スクリーンについて、点Ａでの赤色、緑色、青色のレーザー光（ＬＲ１，ＬＲ２，ＬＧ，ＬＢ）の波長での反射率の最大値と最小値との差ΔＲを算出した。
さらに、各測定例の反射スクリーンに関して、明室環境下（点Ａでの照度７００ｌｘ）での映像光の投射なしの状態（黒表示状態）での点Ａにおける色味、及び、明室環境下（点Ａでの照度７００ｌｘ）での映像源ＬＳから白色画面となる映像光を投射した状態（白色表示状態）での点Ａにおける色味をそれぞれ目視評価した。目視評価は、スクリーンの画面中央となる点Ａの映像源側正面方向に３ｍであって床面から１．５ｍの高さである位置において行った。
【０１０３】
図１４は、測定例１〜５の反射スクリーンの点Ａにおける分光反射率の測定結果を示す図であり、縦軸及び横軸は図１３と同様である。この図１４に示すグラフは、前述の図１３（ａ）のグラフに対して、測定例５の反射スクリーンの測定結果を追加したものに相当する。
【０１０４】
【表２】
2020173443.tif 000004
【０１０５】
表２は、各測定例の反射スクリーンにおける、点Ａでの黒色表示と基準となる無彩色との色差ΔＥ ＊ ａｂと、点Ａでの各レーザー光の反射率の最大値と最小値との差ΔＲと、目視評価の結果とを示している。表２に示す目視評価の結果に関して、○は、色味の偏りがなく無彩色として視認されたことを示し、×は、色味の偏りが視認され、無彩色として視認されなかったことを示す。
表２に示すように、測定例５の反射スクリーンは、ＰＡ／ＰＢ＝１．１６であり、比ＰＡ／ＰＢの好ましい範囲を満たしているが、黒色表示におけるΔＥ ＊ ａｂが２．４より大きく、好ましい範囲外である。これに対して、測定例１〜４の反射スクリーンは、黒色表示におけるΔＥ ＊ ａｂが、それぞれ、２．４、１．９、１．８、２．１であり、ΔＥ ＊ ａｂ≦２．４を満たしている。
また、黒色表示の目視評価においても、測定例１〜４の反射スクリーンでは、色味の偏りがなく、無彩色として視認されているが、測定例５の反射スクリーンでは、色味の偏りが生じており、有彩色として視認されていた。
【０１０６】
白色表示に関しては、表２に示すように、測定例１，２，５の反射スクリーンでは、ΔＲがそれぞれ０．７％、２．５％であり、ΔＲ≦２．６％以下であり、ΔＲの好ましい範囲を満たしていた。これに対して、測定例３，４の反射スクリーンは、ΔＲが、３．２％、４．６％であり、２．６％よりも大きく、ΔＲの好ましい範囲を満たしていない。
また、白色表示の目視評価においても、測定例１，２，５の反射スクリーンでは、色味の偏りがなく、無彩色として視認されているが、測定例３，４の反射スクリーンでは、色味の偏りが生じており、有彩色として視認されていた。
【０１０７】
以上のことから、測定例１，２の反射スクリーンでは、黒色表示及び白色表示において、色味の偏りがなく、良好な無彩色が表示されるが、測定例３，４の反射スクリーンでは、白色表示に色味の偏りが生じており、測定例５では黒表示に色味の偏りが生じてることがわかる。
【０１０８】
上述のように、本実施形態の反射スクリーンは、表示される黒色表示の色度と基準色となる無彩色の色度との色差ΔＥ ＊ ａｂは、ΔＥ ＊ ａｂ≦２．４を満たしており、黒色表示の色味の偏りがなく、良好な映像を表示できる。また、本実施形態の反射スクリーンは、白色表示での各レーザー光の反射率の最大値を最小値との差ΔＲが、ΔＲ≦２．６％を満たしているので、白色表示も色味の偏りがなく、良好な映像を表示できる。
【０１０９】
〔他の実施形態〕
以上、本発明の実施に好適な具体的な構成を詳述したが、本発明は、本発明の趣旨を逸脱しない範囲で、上述の実施形態の構成を種々に変更することができ、さらには種々に組み合わせることができる。
【０１１０】
（１）上述の各実施形態では、反射スクリーンの１つの部材を光吸収部とする場合や、反射スクリーンの部材間の一箇所に光吸収層を配置する場合について示したが、これに限定されるものでなく、反射スクリーンの複数の部材を光吸収部としてもよく、反射スクリーンの部材間の複数個所に光吸収部を配置するようにしてもよい。また、反射スクリーンの部材を光吸収部とするとともに、反射スクリーンの部材間に光吸収層を設けるようにしてもよい。
【０１１１】
（２）上述の第４実施形態において、反射スクリーン３２０は、複数の吸収層（３２６ａ〜３２６ｄ）が積層された多層構造の光吸収層３２６を備える例を示したが、これに限定されるものでなく、図４に示す材料Ａ〜Ｄを母材となる樹脂に混合させて、一層の光吸収層３２６を形成するようにしてもよい。
【０１１２】
（３）上述の第５実施形態において、反射スクリーン４２０は、光吸収層４２６の黒色領域ＢＬを省略してもよい。これにより、光吸収層４２６の製造方法を単純化することができ、製造効率を向上させることができる。
【０１１３】
（４）上述の第５実施形態において、光吸収層４２６は、赤色領域Ｒ、緑色領域Ｇ、青色領域Ｂの各領域に塗り分ける例を示したが、これに限定されるものでなく、各領域に含有される波長選択性を有する材料を混ぜ合わせたインキを作成し、それをスプレー法などによって塗布して、反射層２２よりも映像源側に形成されるようにしてもよい。例えば、反射層２２とレンズ層２３との間に光吸収層４２６を形成する場合、レンズ層２３の背面に上記インキをスプレー法により塗布し、乾燥させた後、形成された光吸収層４２６の背面に反射層２２を形成すればよい。
【符号の説明】
【０１１４】
１  映像表示システム
２０、１２０、３２０、４２０、５２０  反射スクリーン
２２、５２２  反射層
２３、１２３  レンズ層
２４、１２４、５２４  基材層
２４１  光拡散層
２４２  着色層
２５、２２５、５２５  表面層
３２６、４２６  光吸収層
３０  支持板
４０  接合層
２３１  単位レンズ
２３２  レンズ面
２３３  非レンズ面
【図１】
2020173443.tif 000005
【図２】
2020173443.tif 000006
【図３】
2020173443.tif 000007
【図４】
2020173443.tif 000008
【図５】
2020173443.tif 000009
【図６】
2020173443.tif 000010
【図７】
2020173443.tif 000011
【図８】
2020173443.tif 000012
【図９】
2020173443.tif 000013
【図１０】
2020173443.tif 000014
【図１１】
2020173443.tif 000015
【図１２】
2020173443.tif 000016
【図１３】
2020173443.tif 000017
【図１４】
2020173443.tif 000018